(57)【要約】【課題】直流電源から交流電圧を発生させる装置を、経済的かつ効果的にその交流出力電圧を安定にする。【解決手段】発振用トランスＴ１のインダクタンスＬとともに発振周波数を決定するコンデンサを、互いに容量の異なる２個以上のコンデンサＣ１、Ｃ２を直列接続して構成する。その接続点Ａを発振電圧の検出点とする。接続点Ａで検出された電圧を整流し直流としＢ点へ出力、Ｃ点の基準電圧と比較し差信号をＤ点へ出力する。差信号が発振回路のトランジスタのベースバイアスを制御し交流出力電圧を安定なものとする。【選択図】図１
2006074979.tif 000002
【特許請求の範囲】
【請求項１】
非飽和型自励発振回路において、
発振用トランスのインダクタンスとともに発振周波数を決定するコンデンサを、互いに容量の異なる２個以上のコンデンサを直列接続して構成するとともに、その接続点を発振電圧の検出点とする手段と、
前記接続点で検出された電圧を整流し直流とし、基準電圧と比較し差信号を出力する手段と、
前記差信号が発振回路のトランジスタのベースバイアスを制御する手段と、
を有することを特徴とする交流出力電圧の安定化回路。
【発明の詳細な説明】
【技術分野】
【０００１】  本発明は直流電源から交流電圧を発生させる装置に関する。
【背景技術】
【０００２】  直流電源から交流電圧を発生させる装置として、直流電源によって自励型発振回路を作動させ、その発振出力を増幅して交流電圧として取り出す技術がある。この場合、自励発振が開始された後、使用されているトランジスタの自己発熱の影響により、その電流増幅率は時間とともに変化する。一般的には公知のように温度上昇とともに電流増幅率が増加する。その結果、初期設定された発振電圧はそのレベルが時間経過とともに上昇することになる。そこでこれを一定の電圧とするために自動利得制御が行われる。図３（Ａ）、（Ｂ）にその従来例を示す。【０００３】  図３（Ａ）においては、自励発振回路のバイアス回路にサーミスタ等の感熱素子Ｓを使用している。サーミスタ等が周囲温度の変動とともにその電気抵抗値を変化させることを利用し、自励発振回路のバイアス値を変化させて自動利得制御を行い一定の電圧を得ようとするものである。【０００４】  図３（Ｂ）においては、自励発振回路の出力側に配置される変圧器Ｔの二次側出力電圧の一部を整流しフォトカプラ等の一対の光変換素子Ｐを介して一次側に帰還制御することによって自動利得制御を行い一定の電圧を得ようとするものである。なお、図３、（Ａ）、（Ｂ）の両例は公知の回路であるので、詳細な説明は省略する。
【発明の開示】
【発明が解決しょうとする課題】
【０００５】  このような従来公知の自動利得制御においては、次のような課題がある。図３（Ａ）のものにおいては、動作時間の遅れが生じること、また、動作点の適格化が難しい。
【０００６】  また、図３（Ｂ）においては、フォトカプラ等を用いる関係上、部品が高価なものとなり、回路構成も複雑化し、コスト高となる。
【０００７】  本発明はこのような従来の回路を、経済的かつ効果的にその交流出力電圧を安定にする回路とすることを課題としている。
【問題を解決するための手段】
【０００８】  上記の課題は本発明によれば、非飽和型自励発振回路において、発振用トランスのインダクタンスとともに発振周波数を決定するコンデンサを、互いに容量の異なる２個以上のコンデンサを直列接続して構成するとともに、その接続点を発振電圧の検出点とする手段と、前記接続点で検出された電圧を整流し直流とし、基準電圧と比較し差信号を出力する手段と、前記差信号が発振回路のトランジスタのベースバイアスを制御する手段と、を有することによって解決される。
【発明の効果】
【０００９】  本発明によれば、初期設定された発振電圧を刻々増加する電流増幅率の変化があったとしても常に一定ならしめるように自動利得制御するものであり、また、他の部品の発熱による温度上昇の影響ならびに外部温度の影響に対しても自動利得制御が作用し、これらの影響を受けにくい安定な発振電圧が得られる有利な効果がある。
【００１０】  また、電源装置においては、電圧または電力を伝送する際、一次側と二次側は伝送トランスを介して絶縁する絶縁型と、アース電位を直流的に結合する非絶縁型とがあるが、本発明はいずれの場合にも適合できる有利な効果がある。
【発明を実施するための最良の形態】
【００１１】  非飽和型自励発振回路において、発振用トランスのインダクタンスとともに発振周波数を決定するコンデンサを、互いに容量の異なる２個以上のコンデンサを直列接続して構成する。その接続点を発振電圧の検出点とし、接続点で検出された電圧を整流し直流とし、電源部から設定される基準電圧と比較する回路を設け、その結果を差信号として出力する。差信号が発振回路のトランジスタのベースバイアスを制御することによって、トランジスタの増幅率を制御する。即ち、この動作は自励発振回路における発振電圧に比例した検出点の電圧を仲介した負帰還ループを構成し、発振電圧を一定ならしめる。
【実施例１】
【００１２】  図１は本発明の具体的な実施例を示すものである。発振回路は歪の少ない非飽和型自励発振回路であって、Ｖは直流電源であり、これから電源を供給される回路部品中、トランジスタＱ１、Ｑ２、コンデンサＣ１、Ｃ２、トランスＴ１はプッシュプル型自励発振回路を構成する主要部品である。【００１３】  トランジスタＱ１、Ｑ２は自励発振回路の増幅器部であり、コンデンサＣ１、Ｃ２は発振用トランスＴ１のインダクタンスＬに共振する容量である。また、トランスＴ１は自励発振するためのベース正帰還巻線Ｌ１と、交流出力Ｗを取り出すための二次巻線Ｌ２を有する。【００１４】  抵抗Ｒ１と抵抗Ｒ２はトランジスタＱ１、Ｑ２の自己バイアス電圧を供給する抵抗で、一般的には直流電源回路に接続されるが、本実施例では図のように構成する。また、コンデンサＣ１、Ｃ２は通常１個の容量で構成されるが本実施例では図のように互いに容量値の異なる２個のコンデンサを直列に接続して構成する。二つのコンデンサの接続点をＡ点とする。【００１５】  Ａ点に接続される抵抗Ｒ３から抵抗Ｒ７までの各抵抗、トランジスタＱ３、Ｑ４、ダイオードＤ１、コンデンサＣ３、Ｃ４からなる誤差増幅器（差動増幅器）は本発明を実施するための回路の主要部分である。【００１６】  図２は非飽和型プッシュプル自励発振回路のトランジスタＱ１、Ｑ２のコレクタとＡ点の波形を示す。トランジスタＱ１、Ｑ２のコレクタ波形は互いに１８０°の逆相で、ピーク電圧は直流電源Ｖの電圧の約２倍、周波数はコンデンサＣ１、Ｃ２とインダクタンスＬとが共振する周波数で発振する。【００１７】  動作について説明する。トランジシタＱ１、Ｑ２からなるプッシュプル型自励発振回路のトランスＴ１のインダクタンスＬに共振するコンデンサＣ１、Ｃ２においてこのコンデンサＣ１、Ｃ２の容量の大小比によってＡ点の電圧は図２の示すように分圧された電圧が生じる。このコンデンサＣ１、Ｃ２を、Ａ点に不平衡電位を生ぜしめるために、静電容量Ｃ１≠Ｃ２の関係を意図的に構成する。そして発生した不平衡電位の交流電圧を整流し、トランジスタＱ３のベースＢ点に直流電圧として供給する。このＢ点電圧は抵抗Ｒ６、Ｒ７により作られるＣ点の基準電圧と比較された結果、Ｄ点に負帰還される。【００１８】  このＤ点の電圧変化は自励発振回路のトランジスタＱ１、Ｑ２のベース電位の変化に繋がりトランジスタＱ１、Ｑ２の増幅率を制御する。即ち、この動作は自励発振回路における発振電圧に比例したＡ点の電圧を仲介した負帰還ループを構成し、発振電圧を一定ならしめる。【００１９】  なお、上記の実施例では、トランジスタ２個を用いるプッシュプル型の発振回路について記述したが、トランジスタ１個のみを用いた発振回路についても本発明は実施することが可能であることはいうまでもない。
【図面の簡単な説明】
【００２０】
【図１】  本発明の実施例を説明する回路図である。
【図２】  発振波形を示す図である。
【図３】  （Ａ）（Ｂ）は従来の制御回路の例である。
【符号の説明】
【００２１】Ｑ１〜４      トランジスタ
Ｔ１          発振トランス
Ｌ、Ｌ１〜２  発振トランスのインダクタンス及びコイル
Ｒ１〜７      抵抗
Ｃ１〜３      コンデンサ
Ｖ            電源
【図１】
2006074979.tif 000003
【図２】
2006074979.tif 000004
【図３】
2006074979.tif 000005